(57)【特許請求の範囲】
【請求項１】
治具基部と、
前記治具基部の一端部に湾曲して設けられた湾曲部と、
前記治具基部の他端部に湾曲して設けられた外側当接部とを備え、
前記治具基部と前記湾曲部と前記外側当接部とにより囲まれた収容空間に、前記湾曲部の先端部と前記外側当接部の先端部との間の挿入口から、保護帽の端部を挿入することにより、前記湾曲部の前記先端部が前記保護帽の内側に当接し且つ前記外側当接部が前記保護帽の外側に当接して前記保護帽に保護具を固定する取付け治具であって、
前記治具基部の前記他端部側に設けられ、前記収容空間内に突設されて片持ち梁構造を構成する板バネ部を具備し、
前記板バネ部は、その前記先端部が前記湾曲部の前記収容空間側の湾曲内面の前記挿入口側に向かって突設し、前記収容空間を、前記湾曲部と前記外側当接部と前記板バネ部とで囲まれた前記挿入口側の空間と、前記板バネ部と前記治具基部とで囲まれた変形空間とに区切るように設けられ、
前記保護帽の前記端部の前記挿入口からの挿入により前記板バネ部が弾性変形し、前記挿入口に挿入された前記保護帽の前記端部を前記板バネ部の前記先端部と前記湾曲部の前記先端部とで狭持することを特徴とする取付け治具。
【請求項２】
前記湾曲部の前記収容空間側の前記湾曲内面の少なくとも一部は、前記板バネ部の基端部を中心とする円弧状となっており、前記湾曲部の前記先端部及び前記治具基部の前記一端部との接続部にそれぞれ近づくにつれて前記湾曲部の曲率半径が小さくなるように設けられ、前記板バネ部の前記先端部が、前記湾曲部の前記先端部側から前記治具基部側に向かって前記湾曲内面に沿って移動するように弾性変形することを特徴とする請求項１に記載の取付け治具。
【請求項３】
前記板バネ部の前記先端部は、縦断面円弧状に形成されていることを特徴とする請求項１又は２に記載の取付け治具。
【請求項４】
前記板バネ部の前記先端部は、前記板バネ部の厚さ方向の両側の表面の延長線から、前記挿入口側に突出しているが、前記挿入口とは反対側には突出していないことを特徴とする請求項１〜３の何れか一項に記載の取付け治具。
【請求項５】
前記湾曲部の少なくとも前記先端部、前記外側当接部の少なくとも前記先端部及び前記板バネ部の少なくとも前記先端部の表面には、軟質樹脂からなる被覆が設けられていることを特徴とする請求項１〜４の何れか一項に記載の取付け治具。
【請求項６】
前記治具基部の厚さ方向に貫通して設けられた穴部と、
前記穴部を介して前記保護具を前記保護帽に固定する固定機構とを有することを特徴とする請求項１〜５の何れか一項に記載の取付け治具。
【請求項７】
前記治具基部、前記湾曲部、前記外側当接部及び前記板バネ部は、ポリアセタール樹脂、ポリアミド樹脂、及びＡＢＳ樹脂から選択される硬質樹脂製又は金属製であることを特徴とする請求項１〜６の何れか一項に記載の取付け治具。
【発明の詳細な説明】
【技術分野】
【０００１】
本発明は、工場や建築現場等で使用される防塵用のゴーグル、防災用や耐熱用のフェイスシールド、防塵用のマスク、モータースポーツやスキー等に使用されるスポーツ用のゴーグル等の保護具を、保護帽（ヘルメット）に固定することが可能な取付け治具に関する。
【背景技術】
【０００２】
工場や建築現場等で使用される防塵用のゴーグル、防災・耐熱用のフェイスシールド、防塵用のマスク等の保護具は、特に熱、有毒ガス、粉塵等が発生して危険を伴う作業を行う際に、作業者が着用している保護帽（ヘルメット）に固定して用いられる。
【０００３】
保護帽に保護具を固定する際には取付け治具を用いており、そのような取付け治具として、例えば、特許文献１に記載の「ヘルメットの保護具用クリップ」や、特許文献２に記載の「防災ヘルメット用の保護具取り付け治具」等が知られている。
【０００４】
特許文献１には、板状本体とヘルメットの外壁との間に保護具の装着バンドを挿入するようにした挿入空間を設け、板状本体の下部に、ヘルメットの下周端を挟持するようにした挟持部を設け、板状本体の上部に、ヘルメットの外壁に当接するようにした当接部を設け、さらに挟持部にヘルメットの下周端を挟持する空間を設けたものとし、この空間の上方に挿入口を設けたものとし、空間の内部にヘルメットの下周端と当接して弾性変形する隆起部を設け、挟持部の縦断面を略Ｕ字状にし、当接部の縦断面を略逆Ｕ字状にし、板状本体を硬質樹脂板からなるものとし、挟持部及び当接部に軟質樹脂を被着し、隆起部を、内部に空間を有する軟質樹脂で形成したヘルメットの保護具用クリップについて記載されている。
【０００５】
特許文献２には、板状の治具基部と治具基部に折曲角を有して連続する縦断面Ｕ字状の係着部とからなり、治具基部には保護具に対する係止機構が設けられ、且つ係着部には湾曲空間内に押圧部材により撓曲自在とされる板バネが治具基部と係着部との連続部分近傍から延出して設けられた防災ヘルメット用の保護具取り付け治具について記載されている。
【０００６】
特許文献１，２に記載の取付け治具は、保護帽の端部の形状に応じて、隆起部の弾性変形（特許文献１）や板バネの撓曲（特許文献２）により、保護具を保護帽に固定することができるように構成されている。
【０００７】
従って、上記各文献に記載の取付け治具を用いることで、複雑な操作を行うことなく保護具を保護帽に固定することができ、使用時における保護具のずれや脱落を防止することもできる。
【先行技術文献】
【特許文献】
【０００８】
【特許文献１】特許第５６１０２７４号公報
【特許文献２】実開平７−０４３１７４号公報
【発明の概要】
【発明が解決しようとする課題】
【０００９】
しかしながら、保護帽（ヘルメット）を構成する材料の厚さが極端に薄いものや、保護帽の端部にレインガード（雨垂れ防止溝）が形成されたものに、上記各文献に記載の取付け治具を適用する場合には、使用時において保護具がずれ易くなり、作業者の動作の程度によっては脱落するといった問題がある。
【００１０】
本発明は上記実情に鑑みて提案されたものであり、従来の取付け治具における優れた操作性を維持し、保護帽の素材や構造によらず保護具を確実に固定し、利用時におけるずれや脱落を防止して継続的に使用することが可能な取付け治具を提供することを目的とする。
【課題を解決するための手段】
【００１１】
上記課題を解決するための本発明に係る取付け治具の一態様は、治具基部と、前記治具基部の一端部に湾曲して設けられた湾曲部と、前記治具基部の他端部に湾曲して設けられた外側当接部とを備え、前記治具基部と前記湾曲部と前記外側当接部とにより囲まれた収容空間に、前記湾曲部の先端部と前記外側当接部の先端部との間の挿入口から、保護帽の端部を挿入することにより、前記湾曲部の前記先端部が前記保護帽の内側に当接し且つ前記外側当接部が前記保護帽の外側に当接して前記保護帽に保護具を固定する取付け治具であって、前記治具基部の前記他端部側に設けられ、前記収容空間内に突設されて片持ち梁構造を構成する板バネ部を具備し、前記板バネ部は、その前記先端部が前記湾曲部の前記収容空間側の湾曲内面の前記挿入口側に向かって突設し、前記収容空間を、前記湾曲部と前記外側当接部と前記板バネ部とで囲まれた前記挿入口側の空間と、前記板バネ部と前記治具基部とで囲まれた変形空間とに区切るように設けられ、前記保護帽の前記端部の前記挿入口からの挿入により前記板バネ部が弾性変形し、前記挿入口に挿入された前記保護帽の前記端部を前記板バネ部の前記先端部と前記湾曲部の前記先端部とで狭持することを特徴とする。
【００１２】
上記取付け治具の一態様によれば、前記治具基部の前記他端部側に設けられ、前記収容空間内に突設されて片持ち梁構造を構成する板バネ部を具備したことにより、前記保護帽の前記端部の前記挿入口からの挿入により前記板バネ部が弾性変形し、前記挿入口に挿入された前記保護帽の前記端部を前記板バネ部の先端部と前記湾曲部の前記先端部とで狭持することができる。
【００１３】
また、前記板バネ部は、その先端部が前記湾曲部の前記収容空間側の湾曲内面の前記挿入口側に向かって突設し、前記収容空間を、前記湾曲部と前記外側当接部と前記板バネ部とで囲まれた前記挿入口側の空間と、前記板バネ部と前記治具基部とで囲まれた変形空間とに区切るように設けられていることにより、前記板バネ部が弾性変形してその先端部が前記治具基部側に揺動する際の移動量を十分に稼ぐことができ、前記保護帽の前記端部の形状や厚さ等に応じて十分に変形することができる。
【００１５】
また、上記取付け治具の一態様では、前記湾曲部の前記収容空間側の前記湾曲内面の少なくとも一部は、前記板バネ部の基端部を中心とする円弧状となっており、前記湾曲部の前記先端部及び前記治具基部の前記一端部との接続部にそれぞれ近づくにつれて前記湾曲部の曲率半径が小さくなるように設けられ、前記板バネ部の前記先端部が、前記湾曲部の前記先端部側から前記治具基部側に向かって前記湾曲内面に沿って移動するように弾性変形することが好ましい。
【００１６】
上記取付け治具の一態様によれば、前記湾曲部の前記収容空間側の前記湾曲内面の少なくとも一部が、前記板バネ部の基端部を中心とする円弧状となっており、前記湾曲部の前記先端部及び前記治具基部の前記一端部との接続部にそれぞれ近づくにつれて前記湾曲部の曲率半径が小さくなるように設けられていることにより、前記板バネ部の前記先端部の弾性変形を阻害することがなく、前記板バネ部の変形量を大きく確保することができる。
【００１７】
また、上記取付け治具の一態様では、前記板バネ部の前記先端部は、縦断面円弧状に形成されていることが好ましい。
【００１８】
上記取付け治具の一態様によれば、前記板バネ部の前記先端部が、縦断面円弧状に形成されていることにより、前記保護帽の前記端部の形状や厚さ等によらず、前記板バネ部の押圧力を一定に保持することができる。
【００１９】
また、上記取付け治具の一態様では、前記板バネ部の前記先端部は、前記板バネ部の厚さ方向の両側の表面の延長線から、前記挿入口側に突出しているが、前記挿入口とは反対側には突出していないことが好ましい。
【００２０】
上記取付け治具の一態様によれば、前記板バネ部の前記先端部が、前記板バネ部の厚さ方向の両側の表面の延長線から、前記挿入口側に突出しているが、前記挿入口とは反対側には突出していないことにより、前記板バネ部の押圧力を更に一定に保持することができると共に、前記収容空間内における前記板バネ部の変形量を最大限にすることができ、前記取付け治具の適度な狭持力を維持することができる。
【００２１】
また、上記取付け治具の一態様では、前記湾曲部の少なくとも前記先端部、前記外側当接部の少なくとも前記先端部及び前記板バネ部の少なくとも前記先端部の表面には、軟質樹脂からなる被覆が設けられていることが好ましい。
【００２２】
上記取付け治具の一態様によれば、前記治具基部、前記湾曲部、前記外側当接部及び前記板バネ部は、硬質樹脂製であり、前記湾曲部の少なくとも前記先端部、前記外側当接部の少なくとも前記先端部及び前記板バネ部の少なくとも前記先端部の表面には、軟質樹脂からなる被覆が設けられていることにより、前記保護帽の前記端部に当接した際に密着性を高め且つ滑り止め効果を発揮することができる。
【００２３】
また、上記取付け治具の一態様では、前記治具基部の厚さ方向に貫通して設けられた穴部と、前記穴部を介して前記保護具を前記保護帽に固定する固定機構とを有するように構成されてもよい。
【００２４】
上記取付け治具の一態様によれば、前記治具基部の厚さ方向に貫通して設けられた穴部と、前記穴部を介して前記保護具を前記保護帽に固定する固定機構とを有することにより、前記穴部を介して固定機構により前記保護具を前記保護帽に固定することができると共に、前記固定機構が前記板バネ部を更に押圧して前記取付け治具の狭持力を強化して、継続的な使用を可能にすることができる。
また、上記取付け治具の一態様では、前記治具基部、前記湾曲部、前記外側当接部及び前記板バネ部は、ポリアセタール樹脂、ポリアミド樹脂、及びＡＢＳ樹脂から選択される硬質樹脂製又は金属製であることが好ましい。
【発明の効果】
【００２５】
本発明によれば、従来の取付け治具における優れた操作性を維持し、保護帽の素材や構造によらず保護具を確実に固定し、利用時におけるずれや脱落を防止して継続的に使用することができる。
【図面の簡単な説明】
【００２６】
【図１】第１の実施形態に係る取付け治具によりゴーグルがヘルメットに固定された様子を示した図である。
【図２】第１の実施形態に係る取付け治具の構成を説明するための図であり、（ａ）は斜視図であり、（ｂ）は（ａ）を斜め下方側からみた図である。
【図３】第１の実施形態に係る取付け治具の使用方法を説明するための図であり、（ａ）はヘルメットの端部へ取付け治具を固定する様子を示した図であり、（ｂ）は取付け治具にゴーグルのバンドを通す様子を示した図である。
【図４】第１の実施形態に係る取付け治具の使用方法を説明するための概略断面図であり、（ａ）はヘルメットの端部へ取付け治具を固定する前、（ｂ）は固定中、（ｃ）は固定後の状態をそれぞれ示した図である。
【図５】第１の実施形態に係る取付け治具の使用方法を説明するための概略断面図であり、（ａ）はヘルメットの端部へ取付け治具を固定した後にゴーグルのバンドを取付け治具に通している最中、（ｂ）は通した後の状態をそれぞれ示した図である。
【図６】第２の実施形態に係る取付け治具によりゴーグルがヘルメットに固定された様子を示した図である。
【図７】第２の実施形態に係る取付け治具の構成を説明するための斜視図である。
【図８】第２の実施形態に係る取付け治具にゴーグルのスプリングバンドを固定する方法を説明した図である。
【図９】第１の実施形態に係る取付け治具の使用態様を示す概略断面図であり、（ａ）〜（ｆ）は構造の異なるヘルメットへの固定後の状態をそれぞれ示した図である。
【図１０】第２の実施形態に係る取付け治具の使用態様を示す概略断面図であり、（ａ）〜（ｇ）は構造の異なるヘルメットへの固定後の状態をそれぞれ示した図である。
【発明を実施するための形態】
【００２７】
以下、図面を参照して本発明の実施形態を説明する。以下の説明は、本発明の一態様を示すものであって、本発明の要旨を逸脱しない範囲内で任意に変更可能である。なお、各図において同じ符号を付したものは同一の部材を示しており、適宜説明が省略されている。
【００２８】
［第１の実施形態］
（取付け治具の概要）
図１に示すように、保護帽であるヘルメット１００に保護具であるゴーグル２００を固定する際には、本発明の第１の実施形態に係る取付け治具１が用いられる。一般的に、ゴーグル２００には、ヘルメット１００にゴーグル２００を固定するための固定具であるバンド３００が、ブラケット（留め具）４００を介して接続されている。そのため、取付け治具１を用いたヘルメット１００へのゴーグル２００の固定は、バンド３００を介して行われる。具体的には、取付け治具１をヘルメット１００の下方から端部１０１に差し込み、ヘルメット１００の端部１０１の外周に沿ってゴーグル２００のバンド３００を這わせた状態で、ヘルメット１００にバンド３００を固定する。なお、取付け治具１は、着脱自在に構成されているため、ゴーグル２００をヘルメット１００から容易に取り外すことができる。
【００２９】
（取付け治具）
次に、取付け治具１の構成について、図２（ａ）、（ｂ）を参照して説明する。図２（ａ）、（ｂ）に示すように、取付け治具１は治具基部１０を有しており、治具基部１０の一端部１１には、略Ｕ字形状に湾曲した湾曲部２０が設けられており、他端部１２には、片持ち梁構造を構成するように突設され先端が湾曲部２０の内側に延びる板バネ部３０を具備する。また、治具基部１０の他端部１２には、板バネ部３０を囲むように略逆Ｕ字状に湾曲して形成された外側当接部４０が設けられ、外側当接部４０の先端は湾曲部２０の先端に向かって延設されている。かかる取付け治具１は、治具基部１０、湾曲部２０及び外側当接部４０により収容空間５０が構成され、湾曲部２０の先端と外側当接部４０の先端との間が挿入口６０となる。また、収容空間５０内に板バネ部３０が収容され、板バネ部３０の先端は湾曲部２０の先端の近傍に向かって設けられている。収容空間５０は、板バネ部３０により２つの空間に区切られ、板バネ部３０の挿入口６０側の空間であって、湾曲部２０、板バネ部３０及び外側当接部４０により囲まれた空間を収容部７０、板バネ部３０と治具基部１０とで囲まれた空間を変形空間８０とする。ここで、変形空間８０は、板バネ部３０の弾性変形を許容する空間である。すなわち、板バネ部３０は、その先端が湾曲部２０の内側に沿って、湾曲部２０の先端側から治具基部１０側に移動して弾性変形するように設けられており、板バネ部３０の弾性変形により、変形空間８０は小さくなる。
【００３０】
かかる取付け治具１は、詳細は後述するようにヘルメット１００に装着して使用される。すなわち、ヘルメット１００の端部１０１を、挿入口６０に、外側当接部４０側から湾曲部２０に向かうように挿入し、且つ板バネ部３０を上述したように弾性変形させるように挿入することにより、ヘルメット１００の端部１０１を湾曲部２０の先端と板バネ部３０の先端とで挟持し、且つ外側当接部４０がヘルメット１００の外側に当接した状態で固定される。また、この状態で、外側当接部４０とヘルメット１００との間にゴーグル２００のバンド３００を挿入することができ、バンド３００を収容部７０に収容保持することができる。
【００３１】
湾曲部２０は、治具基部１０の一端部１１に略Ｕ字形状に湾曲して設けられたものであり、湾曲部２０の曲率半径は、製品の性能やデザイン等に応じて適宜変更され得るが、収容空間５０側の湾曲内面２３の少なくとも一部を曲率半径の中心が板バネ部３０の基端部２２（治具基部１０の他端部１２と板バネ部３０との接続部）に一致するような円弧状とし、湾曲部２０の先端及び治具基部１０の一端部１１との接続部にそれぞれ近づくにつれて曲率半径が小さくなるように設けることが好ましい。これにより、板バネ部３０は、先端が湾曲部２０の内側に沿って移動するように弾性変形することができ、且つその弾性変形を阻害しないので、板バネ部３０の変形量を大きく確保することができる。
【００３２】
湾曲部２０の先端には、ヘルメット１００の端部１０１の内側に当接する縦断面が円弧状の先端部２１が設けられている。このような先端部２１を設けることで、ヘルメット１００の端部１０１の形状や厚さ等によらず、板バネ部３０の押圧力を一定に保持することができる。その結果、挿入口６０に挿入されたヘルメット１００の端部１０１を板バネ部３０との間に狭持する際の適度な狭持力を維持することができ、ヘルメット１００の端部１０１から取付け治具１が外れ難くなり、ヘルメット１００からのゴーグル２００の脱落を防止することができる。
【００３３】
板バネ部３０は、治具基部１０の他端部１２から収容空間５０側に突設され、片持ち梁構造を構成するものである。板バネ部３０の長手方向の寸法は、製品の性能やデザイン等に応じて適宜変更され得るが、板バネ部３０の先端が、湾曲部２０の湾曲内面２３と接触しない程度に湾曲部２０の湾曲内面２３に近接して設けられていればよい。また、板バネ部３０の先端は、湾曲部２０の収容空間５０側の湾曲内面２３の挿入口６０側に近接して設けられていることが好ましい。このように構成することで、板バネ部３０が弾性変形してその先端が治具基部１０側に揺動する際の板バネ部３０の移動量を十分に稼ぐことができ、ヘルメット１００の端部１０１の形状や厚さ等に応じて十分に変形することができる。
【００３４】
板バネ部３０の先端には、ヘルメット１００の端部１０１の外側に当接する縦断面が円弧状の先端部３１が設けられている。これにより、ヘルメット１００の端部１０１の形状や厚さ等によらず、板バネ部３０の押圧力を一定に保持することができる。
【００３５】
また、板バネ部３０の縦断面円弧状の先端部３１は、板バネ部３０の延設方向を中心として、板バネ部３０の厚さ方向の両側の表面の延長線から、湾曲部２０の先端部２１側（挿入口６０側）に突出するが、反対側には突出しないように設けられている。これにより、板バネ部３０が弾性変形した際に湾曲部２０の湾曲内面２３に接触し難くなり、収容空間５０内における板バネ部３０の変形量を最大限にすることができる。その結果、取付け治具１の適度な狭持力を維持することができるので、ヘルメット１００の端部１０１から取付け治具１が外れ難くなり、ヘルメット１００からのゴーグル２００の脱落を防止することができる。
【００３６】
更に、板バネ部３０の先端部３１が湾曲部２０の先端部２１側に突出していることから、挿入口６０に挿入されたヘルメット１００の端部１０１を湾曲部２０の先端部２１との間で狭持する際の端部１０１に対する先端部３１の押圧力は、湾曲部２０の先端部２１と端部１０１との接点方向（挿入口６０方向）に作用する。そのため、ヘルメット１００の端部１０１に対する湾曲部２０の先端部２１との間の狭持力を一定に保持して、ヘルメット１００からのゴーグル２００の脱落を防止することができる。
【００３７】
取付け治具１では、ヘルメット１００の端部１０１を挿入口６０に挿入する際に、板バネ部３０の挿入口６０側の側面３３が板バネ部３０の弾性変形により湾曲し、ガイドの役割を果たすようになっている。そして、詳細は後述するが、硬質樹脂からなる板バネ部の側面３３によりヘルメット１００の端部１０１を挿入口６０に挿入する際に摩擦力が低くなり、更にガイドの役割を果たし易くなっている。そのため、ヘルメット１００の端部１０１を収容空間５０に収容し易くなり、収容空間５０に収容されたヘルメット１００の端部１０１を、湾曲部２０の先端部２１と板バネ部３０の先端部３１との間で狭持し易くなる。
【００３８】
外側当接部４０は、製品の性能やデザイン等に応じて適宜変更され得るが、治具基部１０の他端部１２を略逆Ｕ字形状に湾曲して設けられていることが好ましい。かかる形状にして設けることで、ヘルメット１００の端部１０１を挿入口６０に挿入する際に外側当接部４０が弾性変形し、更に収容空間５０内に収容されると端部１０１の外側を押圧することで、ヘルメット１００の端部１０１に対する湾曲部２０の先端部２１と板バネ部３０の先端部３１との間の狭持力を一定に保持することができる。そして、詳細は後述するが、硬質樹脂からなる外側当接部４０の当接面４２を含む先端部４１の表面が軟質樹脂で被覆されていることから、端部１０１の外側を押圧することにより外側当接部４０と端部１０１の外側との間に摩擦力が発生して、使用時にゴーグル２００がずれ難くなり、ヘルメット１００からのゴーグル２００の脱落を更に防止することができる。
【００３９】
外側当接部４０におけるヘルメット１００の端部１０１の外側に当接する当接面４２は、製品の性能やデザイン等に応じて適宜変更され得るが、ヘルメット１００の端部１０１の外側を押圧しやすいように平坦に形成されることが望ましい。このように形成することで、挿入口６０に挿入されたヘルメット１００の端部１０１を湾曲部２０の先端部２１との間で狭持する際の狭持力が増加し、ヘルメット１００の端部１０１から取付け治具１が外れ難くなり、ヘルメット１００からのゴーグル２００の脱落を防止することができる。
【００４０】
また、外側当接部４０の先端部４１には、製品の性能やデザイン等に応じて適宜変更され得るが、収容空間５０の反対側に少なくとも一つの頂点が突出した断面略三角形状の突起部４３が設けられていることが好ましい。また、突起部４３は外側当接部４０の当接面４２に対して鈍角となるように設けられていることが好ましい。これにより、ヘルメット１００の端部１０１の形状や厚さ等に応じて突起部４３が弾性変形により収容空間５０側に折曲し、十分な摩擦力を発揮する。すなわち、外側当接部４０の当接面４２を含む先端部４１の表面の被覆物と異なり、突起部４３は軟質樹脂のみで構成されている。それにより、突起部４３とヘルメット１００の端部１０１の外側との間に摩擦力が働き、使用時におけるバンド３００の動きによる取付け治具１のずれ等が軽減される。
【００４１】
湾曲部２０の先端部２１と外側当接部４０の先端部４１との間である挿入口６０の開口サイズは、特に限定されるものではなく、製品の性能やデザイン等に応じて適宜変更され得るが、ヘルメット１００の端部１０１及びゴーグル２００のバンド３００を挿入することができる程度であればよい。
【００４２】
治具基部１０、湾曲部２０、板バネ部３０及び外側当接部４０は、耐クリープ性、耐疲労性、剛性及び耐薬品性に優れた硬質樹脂板又は金属板からなるものである。治具基部１０、湾曲部２０及び外側当接部４０を屈曲した金属板で構成し、内側に板バネ部３０を構成する金属板を突設するようにしてもよいが、治具基部１０、湾曲部２０、板バネ部３０及び外側当接部４０を硬質樹脂で一体成形するのが好ましく、本実施形態では硬質樹脂で成形したものとした。このように硬質樹脂製とする方が、電気絶縁体となるので電気を扱う工事等にも安全なものとなり、また、肉質感があるものとなり接触感もよくなるので、金属板とするより好ましい。なお、このような硬質樹脂としては、熱可塑性樹脂を適用することができ、熱可塑性樹脂としては、ポリアセタール樹脂、ポリアミド樹脂、ＡＢＳ樹脂等を挙げることができる。
【００４３】
また、湾曲部２０の先端部２１を含む内側当接部２４、板バネ部３０の先端部３１を含む当接部３２及び外側当接部４０の当接面４２を含む先端部４１は、硬質樹脂の表面を軟質樹脂で被覆されている。このように、軟質樹脂の被覆を設けることにより、ヘルメット１００の端部１０１に当接した際に密着性を高め且つ滑り止め効果を発揮することができるが、必ずしも設ける必要はない。なお、ここで軟質樹脂とは、硬質樹脂より柔らかく、弾性変形し易いものであり、ヘルメット１００の端部１０１に当接した際に密着性を高め且つ滑り止め効果を備えるものであれば特に限定されないが、水添スチレン系熱可塑性エラストマー（ＳＥＢＳ）、熱可塑性ポリウレタンエラストマー（ＴＰＵ）等の熱可塑性エラストマー、スチレン・ブタジエンゴム（ＳＢＲ）等のゴムを挙げることができる。なお、このようなエラストマーやゴム等の被膜は、硬質樹脂と二色成形により一体的に成形することができる。また、ゴム被膜は、接着や溶射等により設けることができる。なお、外側当接部４０の突起部４３は、軟質樹脂のみで形成される。
【００４４】
取付け治具１は、上述した通りの構成を備えてなることで、従来の取付け治具における優れた操作性を維持し、ヘルメットの素材や構造によらずゴーグル等の保護具を確実に固定し、利用時におけるずれや脱落を防止して継続的に使用することができる。
【００４５】
（治具の固定方法）
次に、取付け治具１をヘルメット１００に固定する方法について、図３（ａ）、（ｂ）〜図５（ａ）、（ｂ）を参照して説明する。図３（ａ）及び図４（ａ）〜（ｃ）に示すように、取付け治具１を把持してヘルメット１００の端部１０１を挿入口６０に差し込むと、端部１０１に当接した板バネ部３０が治具基部１０側に撓み、端部１０１が収容空間５０に収容される。ヘルメット１００の端部１０１は、板バネ部３０の当接部３２と湾曲部２０の内側当接部２４とで狭持され、更にヘルメット１００の端部１０１が外側当接部４０の当接面４２に押圧され、三方から力が加わることで、取付け治具１をヘルメット１００に確実に固定することができる。
【００４６】
次いで、図３（ｂ）及び図５（ａ）、（ｂ）に示すように、ゴーグル２００のバンド３００を把持して挿入口６０から差し込むと、収容部７０内にバンド３００が収容される。バンド３００が収容部７０内に収容されることで、バンド３００を介して取付け治具１でゴーグル２００をヘルメット１００に更に確実に固定して、ゴーグル２００の使用時におけるずれや脱落を防止することができる。なお、取付け治具１は、ヘルメット１００の反対側の側面にも上述した方法と同様にして取り付けられる。
【００４７】
［第２の実施形態］
（取付け治具）
図６に示すように、本発明の第２の実施形態に係る取付け治具２は、取付け治具１と同様に、ヘルメット１５０にゴーグル２５０を固定するためのものである。第２の実施形態では、ゴーグル２５０にスプリングバンド３５０がブラケット（留め具）４５０を介して接続されており、スプリングバンド３５０を介してゴーグル２５０を取付け治具２でヘルメット１５０に固定する点が、第１の実施形態とは異なっている。なお、取付け治具２は、取付け治具１の部材と異なる部材についてのみ説明し、取付け治具１と同一の部材（取付け治具１と同一の符号を付したもの）についての説明は省略する。
【００４８】
次に、取付け治具２の詳細について、図７を参照して説明する。図７に示すように、取付け治具２は、治具基部１０に穴部１３が設けられたこと以外は取付け治具１と同様の構成である。穴部１３は、治具基部１０の厚さ方向に貫通して設けられており、穴部１３の内部構造は、後述する固定機構９０の構造に応じて適宜変更され得る。
【００４９】
図８に示すように、固定機構９０は、例えば円筒の面に沿って螺旋状の溝を設けた雄ネジであり、穴部１３の内部には、雄ネジと螺合可能に螺旋状の溝が設けられている。なお、固定機構９０は、ゴーグル２５０のスプリングバンド３５０をヘルメット１５０に固定することができれば特に限定されず、例えばボタン方式等を適用することもできる。
【００５０】
取付け治具２では、上述した通りの治具基部１０に穴部１３を設け、穴部１３と固定機構９０とを組み合わせて用いることで、例えば図１０（ａ）〜（ｇ）に示すように、固定機構９０で板バネ部３０を治具基部１０側から押圧する（図）ことで、ヘルメット１５０を構成する材料の厚さが極端に薄いものや、ヘルメット１５０の端部１５１にレインガード等が形成されて端部１５１が極端に厚いもの等の様々な形状のものに取付け治具２を取り付ける場合であっても、取付け治具２の強固な固定を実現することができる。また、板バネ部３０の素材である硬質樹脂が経年劣化した場合であっても、固定機構９０で板バネ部３０を治具基部１０側から押圧することで、長期に亘って取付け治具２の確実な固定を維持することができる。
【００５１】
（治具の固定方法）
次に、取付け治具２をヘルメット１５０に固定する方法の詳細について、図８を参照して説明する。なお、取付け治具２をヘルメット１５０の端部１５１に固定する方法については、取付け治具１と同様の方法で固定することができるので、説明を省略する。図８に示すように、取付け治具２をヘルメット１５０の端部１５１に固定した後にゴーグル２５０（図６参照）を把持し、穴部１３とスプリングバンド３５０の穴部３５１との中心を合わせて固定機構９０（雄ネジ）を穴部３５１及び穴部１３に順次挿入する。その後、固定機構９０と穴部１３とを穴部３５１を介して螺合し、取付け治具２を介してゴーグル２５０をヘルメット１５０に固定する。これにより、取付け治具１と同様にして、ゴーグル２５０の使用時におけるずれや脱落を防止することができる。なお、取付け治具２は、ヘルメット１５０の反対側の側面にも上述した方法と同様にして取り付けられる。
【００５２】
［他の実施形態］
取付け治具１は、上述したヘルメット１００以外のヘルメットにも適用することができる。例えば、図９（ａ）〜（ｆ）に示すように、ヘルメットの端部の形状が異なる場合であっても、取付け治具１を用いてゴーグルをヘルメットに固定することができる。
【００５３】
また、取付け治具２は、上述したヘルメット１５０以外のヘルメットに適用することができる。例えば、図１０（ａ）〜（ｇ）に示すように、ヘルメットの端部の形状が異なる場合であっても、取付け治具２を用いてゴーグルをヘルメットに固定することができる。なお、取付け治具２は、ゴーグル２００（図１参照）をヘルメット１５０に固定する際に用いてもよい。その場合には、取付け治具１と同様の方法で固定することができ、取付け治具２をヘルメット１５０の端部１５１に固定した後に、ゴーグル２００のバンド３００を把持して挿入口６０から差し込むと、収容部７０内にバンド３００が収容される。バンド３００が収容部７０内に収容された後に、固定機構９０（雄ネジ）を穴部１３に挿入して螺合することで、固定機構９０で板バネ部３０を治具基部１０側から押圧し、バンド３００を介してゴーグル２００をヘルメット１５０に更に確実に固定することができる。
【符号の説明】
【００５４】
１，２  取付け治具、  １０  治具基部、  １１  一端部、  １２  他端部、  １３  穴部、  ２０  湾曲部、  ２１  湾曲部の先端部、  ２２  板バネ部の基端部、  ２３  湾曲部の湾曲内面、  ２４  湾曲部の内側当接部、  ３０  板バネ部、  ３１  板バネ部の先端部、  ３２  板バネ部の当接部、  ３３  板バネ部の側面、  ４０  外側当接部、  ４１  外側当接部の先端部、  ４２  外側当接部の当接面、  ４３  突起部、  ５０  収容空間、  ６０  挿入口、  ７０  収容部、  ８０  変形空間、  ９０  固定機構、  １００，１５０  ヘルメット、  １０１，１５１  ヘルメットの端部、  ２００，２５０  ゴーグル、  ３００  バンド、  ３５０  スプリングバンド、  ３５１  スプリングバンドの穴部、  ４００，４５０  ブラケット（留め具）
【要約】
【課題】従来の取付け治具における優れた操作性を維持し、保護帽の素材や構造によらず保護具を確実に固定し、利用時におけるずれや脱落を防止して継続的に使用することが可能な取付け治具を提供する。
【解決手段】治具基部１０と、治具基部１０の一端部１１に湾曲して設けられた湾曲部２０と、治具基部１０の他端部１２に湾曲して設けられた外側当接部４０とを備え、治具基部１０と湾曲部２０と外側当接部４０とにより囲まれた収容空間５０に、湾曲部２０の先端部２１と外側当接部４０の先端部４１との間の挿入口６０から、保護帽の端部を挿入することにより、湾曲部２０の先端部２１が保護帽の内側に当接し且つ外側当接部４０が保護帽の外側に当接して保護帽に保護具を固定する取付け治具１であって、治具基部１０の他端部１２側に設けられ、収容空間５０内に突設されて片持ち梁構造を構成する板バネ部３０を具備する。
【選択図】図２【図１】
0005973635.tif 000002
【図２】
0005973635.tif 000003
【図３】
0005973635.tif 000004
【図４】
0005973635.tif 000005
【図５】
0005973635.tif 000006
【図６】
0005973635.tif 000007
【図７】
0005973635.tif 000008
【図８】
0005973635.tif 000009
【図９】
0005973635.tif 000010
【図１０】
0005973635.tif 000011